(57)【要約】  【課題】  フィルタ保持部材と本体１とのシール性を確実に向上させて、空気清浄機の清浄能力を確実に高める。  【解決手段】  本体１内には、集塵フィルタ７ａおよび脱臭フィルタ７ｂからなるフィルタ７が収容される。集塵フィルタ７ａは、フィルタ保持部材としてのフィルタ枠材１０にて保持されている。フィルタ枠材１０は、集塵フィルタ７ａよりもその厚さ方向の一方側に突出した突出部１０ａを有している。また、本体１内には、突出部１０ａがその表面全体を当接させた状態で嵌合する溝部９が形成されている。この構成により、フィルタ枠材１０の突出部１０ａを溝部９に嵌合させた状態では、突出部１０ａの表面全体が溝部９の内面と当接するため、突出部１０ａと溝部９との間に隙間が形成されることがなく、フィルタ枠材１０と本体１とのシール性が確実に向上する。【選択図】      図１
2006289197.tif 000002
【特許請求の範囲】
【請求項１】
外部から吸い込んだ空気を清浄化するためのフィルタと、
上記フィルタをその外周を覆うことによって保持するフィルタ保持部材と、
上記フィルタを介して外部から空気を吸い込むための送風手段と、を本体内部に備えた空気清浄機であって、
上記フィルタ保持部材は、上記フィルタよりもその厚さ方向の少なくとも一方側に突出した突出部を有しており、
上記本体内部には、上記突出部がその表面全体を当接させた状態で嵌合する溝部が形成されていることを特徴とする空気清浄機。
【請求項２】
上記突出部は、上記フィルタよりもその厚さ方向の一方側に突出しており、
上記溝部は、上記本体内部のフィルタ収容位置よりも上記送風手段側に形成されていることを特徴とする請求項１に記載の空気清浄機。
【請求項３】
上記突出部は、上記フィルタよりもその厚さ方向の一方側に突出しており、
上記溝部は、上記本体内部のフィルタ収容位置よりも上記送風手段とは反対側に形成されていることを特徴とする請求項１に記載の空気清浄機。
【請求項４】
上記突出部は、上記フィルタよりもその厚さ方向の両側に突出しており、
上記溝部は、上記本体内部のフィルタ収容位置よりも上記送風手段側および上記送風手段とは反対側の両方に形成されていることを特徴とする請求項１に記載の空気清浄機。
【請求項５】
上記フィルタ保持部材は、上記フィルタの外周面と接着剤を介して接着される不織布からなるフィルタ枠材であることを特徴とする請求項１ないし４のいずれかに記載の空気清浄機。
【請求項６】
上記フィルタ保持部材は、上記フィルタを挿抜することが可能なフィルタ枠であることを特徴とする請求項１ないし４のいずれかに記載の空気清浄機。
【請求項７】
上記フィルタは、空気中に含まれる塵埃を除去する集塵フィルタと、空気中の臭気成分を除去する脱臭フィルタとのうちの少なくとも一方を含んでいることを特徴とする請求項１ないし６のいずれかに記載の空気清浄機。
【発明の詳細な説明】
【技術分野】
【０００１】
本発明は、空気を清浄化するためのフィルタ（例えば集塵フィルタや脱臭フィルタ）がフィルタ保持部材によって保持されて本体内部に収容される空気清浄機に関するものである。
【背景技術】
【０００２】
従来から、空気を清浄化する、つまり、空気中に含まれる塵埃や臭気成分を除去するフィルタを備えた空気清浄機が種々提案されている。上記のフィルタは、通常、フィルタ保持部材（例えばフィルタ枠）にて保持された状態で空気清浄機の本体内部に収容される。このとき、空気清浄機の清浄能力を高めるためには、送風手段の駆動能力を高めること以外に、風路の密閉度を高くすることが必要である。そのためには、フィルタ枠と本体とのシール性を高めることが要求される。
【０００３】
そこで、例えば特許文献１では、図１４に示すように、フィルタ１０１を保持するフィルタ枠１０２に設けた溝１０２ａの中にシール材１０３を設け、このシール材１０３を介して溝１０２ａをフィルタ受け１０４の係合子１０４ａに嵌挿することで、フィルタ枠１０２と本体とのシール性を高めながらフィルタ１０１を本体内部に収容するようにしている。
【特許文献１】特開２００１−１３７６３７号公報（図７参照）
【発明の開示】
【発明が解決しようとする課題】
【０００４】
ところが、特許文献１の構成では、フィルタ受け１０４における係合子１０４ａ以外の部分では、フィルタ枠１０２との間に隙間が形成されている。このため、シール材１０３が設けられているとしても、フィルタ１０１を本体内部に収容した際、フィルタ１０１の押さえが悪かったり、シール材１０３が劣化すると、隙間より空気がフィルタ１０１外を通過して本体内部に流入するおそれがある。
【０００５】
本発明は、上記の問題点を解決するためになされたものであって、その目的は、フィルタ保持部材と本体とのシール性を確実に向上させて、清浄能力を確実に高めることができる空気清浄機を提供することにある。
【課題を解決するための手段】
【０００６】
本発明の空気清浄機は、外部から吸い込んだ空気を清浄化するためのフィルタと、上記フィルタをその外周を覆うことによって保持するフィルタ保持部材と、上記フィルタを介して外部から空気を吸い込むための送風手段とを本体内部に備えた空気清浄機であって、上記フィルタ保持部材は、上記フィルタよりもその厚さ方向の少なくとも一方側に突出した突出部を有しており、上記本体内部には、上記フィルタ保持部材の上記突出部がその表面全体を当接させた状態で嵌合する溝部が形成されていることを特徴としている。
【０００７】
上記の構成によれば、フィルタは、その外周がフィルタ保持部材にて覆われて本体内部に収容される。送風手段を駆動させることにより、本体外部の空気はフィルタを介して本体内部に吸い込まれる。この際に、空気中の塵埃や脱臭成分がフィルタにて除去されて、当該空気が清浄化される。
【０００８】
ここで、フィルタ保持部材は、フィルタよりもその厚さ方向の少なくとも一方側に突出した突出部を有しており、本体内部には、この突出部がその表面全体を当接させた状態で嵌合する溝部が形成されている。これにより、フィルタ保持部材の突出部を溝部に嵌合させた状態では、突出部の表面全体が溝部と当接するため、突出部と溝部との間に隙間が形成されることがない。したがって、送風手段の駆動時に、上記隙間を介して外部空気が本体内部に流入するのを確実に回避することができ、フィルタ保持部材と本体とのシール性を確実に向上させることができる。その結果、空気清浄機の清浄能力を確実に高めることができる。
【０００９】
ここで、上記突出部は、上記フィルタよりもその厚さ方向の一方側に突出しており、上記溝部は、上記本体内部のフィルタ収容位置よりも上記送風手段側に形成されていてもよい。なお、フィルタ収容位置よりも送風手段側とは、送風手段の駆動時に外部空気が本体内部に取り込まれる方向においてフィルタよりも下流側（風下側）を指す。
【００１０】
この構成の場合、溝部に嵌合する突出部の長さ分だけ送風手段から離れたところに、フィルタ保持部材にて保持されているフィルタを位置させることができ、本体内部でフィルタと送風手段との間にある程度の空間を確保することができる。これにより、送風手段の駆動時にフィルタのほぼ全面を介して空気を吸い込む経路を確保することができ、フィルタを有効利用して空気の清浄化を行うことができる。
【００１１】
また、上記突出部は、上記フィルタよりもその厚さ方向の一方側に突出しており、上記溝部は、上記本体内部のフィルタ収容位置よりも上記送風手段とは反対側に形成されていてもよい。なお、フィルタ収容位置よりも送風手段と反対側とは、送風手段の駆動時に外部空気が本体内部に取り込まれる方向においてフィルタよりも上流側（風上側）を指す。また、このような溝部の配置は、例えば、本体に対して取り外し可能な本体前面の吸込パネルやフィルタ押さえなどの部材に溝部を形成することで実現可能である。
【００１２】
この構成の場合、フィルタ保持部材とともにフィルタを本体内部に収容した後、上記部材を本体に取り付けたときに、自動的にフィルタ保持部材の突出部を溝部に嵌合させることができる。したがって、この構成であっても、フィルタ保持部材と本体とのシール性を確保することができる。
【００１３】
また、上記突出部は、上記フィルタよりもその厚さ方向の両側に突出しており、上記溝部は、上記本体内部のフィルタ収容位置よりも上記送風手段側および上記送風手段とは反対側の両方に形成されている構成であってもよい。
【００１４】
この構成では、フィルタよりも風上側および風下側の両方で、フィルタ保持部材と本体とのシール性を確保することができ、空気清浄機の清浄能力をより一層高めることができる。
【００１５】
また、上記フィルタ保持部材は、上記フィルタの外周面と接着剤を介して接着される不織布からなるフィルタ枠材であってもよい。この構成の場合、フィルタ枠材の突出部を本体内部の溝部に嵌合させることにより、フィルタ枠材と本体とのシール性を確保することができる。
【００１６】
また、上記フィルタ保持部材は、上記フィルタを挿抜することが可能なフィルタ枠であってもよい。この構成の場合、フィルタ枠の突出部を本体内部の溝部に嵌合させることにより、フィルタ枠と本体とのシール性を確保することができる。
【００１７】
また、上記フィルタは、空気中に含まれる塵埃を除去する集塵フィルタと、空気中の臭気成分を除去する脱臭フィルタとのうちの少なくとも一方を含んでいることが望ましい。この場合、空気中の塵埃と脱臭成分とのうちの少なくとも一方をフィルタにて確実に除去することができる。
【発明の効果】
【００１８】
本発明によれば、フィルタ保持部材の突出部を溝部に嵌合させた状態では、突出部の表面全体が溝部と当接し、突出部と溝部との間に隙間が形成されないので、送風手段の駆動時に、上記隙間を介して外部空気が本体内部に流入するのを確実に回避することができ、空気清浄機の清浄能力を確実に高めることができる。
【発明を実施するための最良の形態】
【００１９】
本発明の実施の一形態について、図面に基づいて説明すれば、以下の通りである。
図１は、本実施形態に係る空気清浄機の概略の構成を示す断面図であって、この空気清浄機を側方から見たときの断面図である。この空気清浄機は、本体１を有している。なお、以下では、後述する送風手段８の駆動によって本体１内部を空気が流れる方向において、その風上側を前方とし、その風下側を後方と呼ぶこととする。
【００２０】
本体１内部は、仕切り板２によって前後に仕切られている。この結果、本体１内部の仕切り板２よりも前方には第１の区画室３が形成され、仕切り板２よりも後方には第２の区画室４が形成されている。第１の区画室３と第２の区画室４とは、仕切り板２に設けられた開口部２ａを介して連通している。また、本体１の前面には、外部からの空気を本体１内部に取り込むための吸込口５ａが形成された吸込パネル５が設けられており、本体１の後方上面には、吸い込んだ空気を外部に放出するための吹出口６が設けられている。
【００２１】
なお、本体１内部には、フィルタ押さえを設けるようにしてもよい。フィルタ押さえとは、後述するフィルタ７を本体１内部で安定して収容すべく、フィルタ７を前方から押さえるものである。また、吹出口６近傍には、図示していないが、正または負の少なくとも一方のイオンを発生するイオン発生器を配置するようにしてもよい。
【００２２】
また、本体１内部には、フィルタ７と、送風手段８と、溝部９とが設けられている。フィルタ７は、外部から吸い込んだ空気を清浄化するためのものであり、第１の区画室３内に配置されている。本実施形態では、フィルタ７は、空気中に含まれる塵埃を除去する集塵フィルタ７ａと、空気中の臭気成分を除去する脱臭フィルタ７ｂとで構成されており、これらはいずれも略直方体形状となっている。また、本実施形態では、集塵フィルタ７ａは、脱臭フィルタ７ｂよりも風下側に設けられているが、風上側に設けられてもよい。
【００２３】
集塵フィルタ７ａは、フィルタ枠材１０によって保持されている。ここで、図２は、フィルタ枠材１０の概略の構成を示す斜視図である。フィルタ枠材１０は、略直方体形状の集塵フィルタ７ａの外周４面（前後方向（厚さ方向）の２面以外の面）と接着剤を介して接着される不織布で構成されたフィルタ保持部材である。集塵フィルタ７ａは、このようにフィルタ枠材１０によって保持された状態で、本体１内部に収容される。
【００２４】
また、フィルタ枠材１０は、保持するフィルタ（ここでは集塵フィルタ７ａ）よりもその厚さ方向に突出しており、その突出した部分が突出部１０ａとなっている。より詳しくは、突出部１０ａは、保持する集塵フィルタ７ａよりもその厚さ方向において一方側（集塵フィルタ７ａが本体１内部に収容されたときの後方側に対応している）に突出して形成されている。また、突出部１０ａは、４枚の平板を枠状に配置させた形状、すなわち、対向する２枚の平板の端部同士を残りの２枚の平板でそれぞれ連結した形状となっている。
【００２５】
送風手段８は、フィルタ７を介して外部から空気を吸い込むために駆動されるものであり、本体１内部の第２の区画室４内に設けられている。この送風手段８は、回転可能なファンと、そのファンを回転させるモータとで構成されている。
【００２６】
溝部９は、フィルタ枠材１０の突出部１０ａがその表面全体を当接させた状態で嵌合する部分である。この溝部９は、枠状の突出部１０ａを構成する４つの平板のそれぞれが嵌合するように枠状に形成されている。また、溝部９は、仕切り板２よりも前方部分で、かつ、本体１内部のフィルタ収容位置よりも後方（送風手段８側）に設けられており、突出部１０ａが前方から嵌合できるように、前方側に開口を有する溝（凹部）となっている。
【００２７】
溝部９は、仕切り板２および本体１の壁面と一体的に形成されている。より詳しくは、溝部９は、それを構成する２本の壁部で突出部１０ａを挟持できる形状となっている。そして、溝部９を構成する一方の壁部は、本体１の壁面を兼ねているが、他方の壁は、仕切り板２から前方に突出する壁部９ａとなっている。
【００２８】
上記の構成によれば、フィルタ７を本体１内部に装填するときは、まず、本体１前面の吸込パネル５を取り外す。なお、フィルタ押さえが設けられている場合にはさらにフィルタ押さえを取り外す。そして、集塵フィルタ７ａと接着されるフィルタ枠材１０の突出部１０ａを、本体１内部の溝部９に嵌合させて集塵フィルタ７ａを本体１内部に収容する。このとき、突出部１０ａは、その表面全体が溝部９と当接するようにして溝部９に嵌合する。その後、脱臭フィルタ７ｂを本体１内部に収容し、必要に応じてフィルタ押さえを取り付け、最後に吸込パネル５を本体１に取り付ける。
【００２９】
この状態で送風手段８を駆動させると、本体１外部の空気は吸込パネル５の吸込口５ａを通り、脱臭フィルタ７ｂおよび集塵フィルタ７ａを順に介して本体１内部に吸い込まれる。この際に、空気中の脱臭成分や塵埃が脱臭フィルタ７ｂおよび集塵フィルタ７ａにてそれぞれ除去されて、当該空気が清浄化され、吹出口６から排出される。
【００３０】
以上のように、本実施形態の構成によれば、本体１内部には、フィルタ枠材１０の突出部１０ａが嵌合する溝部９が設けられており、その嵌合時には、突出部１０ａの表面全体が溝部９の内面と当接する。これにより、突出部１０ａが溝部９に嵌合した状態では、突出部１０ａと溝部９との間に隙間が形成されることがなく、送風手段８の駆動時に、上記隙間を介して外部空気が本体１内部に流入するということがない。つまり、送風手段８の駆動時に、外部空気が集塵フィルタ７ａを通過せずに上記隙間から本体１内部に取り込まれるということがない。したがって、フィルタ枠材１０と本体１とのシール性が確実に向上し、空気清浄機の清浄能力を確実に高めることができる。
【００３１】
また、溝部９は、本体１内部のフィルタ収容位置よりも送風手段８側に形成されている。これにより、本実施形態のように、溝部９を構成する壁部９ａを仕切り板２に対して前方に突出させれば、少なくとも溝部９に嵌合する突出部１０ａの長さ分だけ（正確には壁部９ａの高さ分だけ）送風手段８から前方に離れたところに、フィルタ枠材１０にて保持されているフィルタ７（集塵フィルタ７ａ）を位置させることができる。そして、本体１内部で集塵フィルタ７ａと送風手段８との間にある程度の空間を確保することができる。その結果、送風手段８の駆動時には、集塵フィルタ７ａのほぼ全面を介して空気を吸い込む経路を確保することができ（集塵フィルタ７ａのほぼ全面から空気を吸い込むことができ）、集塵フィルタ７ａを有効利用することができる。
【００３２】
ところで、本実施形態では、フィルタ枠材１０が集塵フィルタ７ａのみを保持する場合について説明したが、フィルタ枠材１０が集塵フィルタ７ａおよび脱臭フィルタ７ｂの両方を保持する構成であってもよい。
【００３３】
図３は、集塵フィルタ７ａおよび脱臭フィルタ７ｂの両方を保持するフィルタ枠材１０の概略の構成を示す斜視図である。なお、同図では、突出部１０ａ側が集塵フィルタ７ａとなっているが、集塵フィルタ７ａおよび脱臭フィルタ７ｂの位置は逆であってもよい。また、図４は、集塵フィルタ７ａおよび脱臭フィルタ７ｂの両方をフィルタ枠材１０で保持した状態で本体１内部に収容した空気清浄機の概略の構成を示す断面図である。
【００３４】
このような構成であっても、フィルタ枠材１０に突出部１０ａが設けられており、本体１内部に溝部９が形成されているので、突出部１０ａが溝部９に嵌合した状態では、突出部１０ａの表面全体が溝部９の内面と当接し、突出部１０ａと溝部９との間に隙間が形成されることがない。したがって、フィルタ枠材１０と本体１とのシール性が確実に向上し、吸込口５ａから吸い込まれた空気を脱臭フィルタ７ｂおよび集塵フィルタ７ａの順に確実に通過させることができる。その結果、空気清浄機の清浄能力を確実に高めることができる。
【００３５】
なお、フィルタ枠材１０がフィルタ７として脱臭フィルタ７ｂのみを保持し、突出部１０ａを溝部９に嵌合させて脱臭フィルタ７ｂのみを本体１内部に収容するようにしてもよい。この場合、フィルタ枠材１０と本体１とのシール性を確実に向上させて、空気清浄機の清浄能力（脱臭能力）を確実に高めることができる。
【００３６】
また、本実施形態では、フィルタ保持部材が、フィルタ７と接着剤を介して接着されるフィルタ枠材１０で構成されている場合について説明したが、フィルタ７が挿抜されるフィルタ枠で構成されていてもよい。
【００３７】
図５は、フィルタ保持部材としてのフィルタ枠１１の概略の構成を示す斜視図である。フィルタ枠１１は、フィルタ７の外周４面とは接着されないが、フィルタ７の外周４面と当接可能な内面を有している。このように、フィルタ枠１１を用いてフィルタ７を保持する場合であっても、フィルタ枠１１にフィルタ７よりもその厚さ方向に突出した突出部１１ａを設け、本体１内部に、その突出部１１ａがその表面全体を当接させた状態で嵌合する溝部９を形成することで、本実施形態と同様の効果を得ることができる。
【００３８】
つまり、本実施形態においてフィルタ枠材１０について述べた構成（例えば突出部１０ａを設ける構成）は、フィルタ枠１１についても同様に適用することができる。このことは、後述する実施の形態２および３でも同様に言えることである。
【００３９】
〔実施の形態２〕
本発明のさらに他の実施の形態について、図面に基づいて説明すれば、以下の通りである。なお、実施の形態１と同一の構成には同一の部材番号を付記し、その説明を省略する。
【００４０】
図６は、本実施形態に係る空気清浄機の概略の構成を示す断面図であり、図７は、本実施形態のフィルタ枠材１０の概略の構成を示す斜視図である。本実施形態では、フィルタ枠材１０は、略直方体形状の脱臭フィルタ７ｂの外周４面（前後方向（厚さ方向）の２面以外の面）と接着剤を介して接着されており、保持する脱臭フィルタ７ｂよりもその厚さ方向に突出した突出部１０ｂを有している。
【００４１】
より詳しくは、突出部１０ｂは、保持する脱臭フィルタ７ｂよりもその厚さ方向において一方側（脱臭フィルタ７ｂが本体１内部に収容されたときの前方側に対応している）に突出して形成されている。また、突出部１０ｂは、実施の形態１の突出部１０ａと同様に、４枚の平板を枠状に配置させた形状、すなわち、対向する２枚の平板の端部同士を残りの２枚の平板でそれぞれ連結した形状となっている。
【００４２】
このように、本実施形態の突出部１０ｂは、フィルタ７を保持したフィルタ枠材１０が本体１に収容されたときに、本体１内でその突出方向が逆向きとなる点で、実施の形態１の突出部１０ａとは区別される。
【００４３】
また、本実施形態では、実施の形態１で述べた溝部９の代わりに溝部１２が本体１内部に形成されている。溝部１２は、フィルタ枠材１０の突出部１０ｂがその表面全体を当接させた状態で嵌合する部分であり、枠状の突出部１０ｂを構成する４つの平板のそれぞれが嵌合するように枠状に形成されている。
【００４４】
ただし、溝部１２は、本体１内部で、フィルタ収容位置よりも前方（送風手段８とは反対側）に形成されている点で、実施の形態１の溝部９とは異なっている。溝部１２は、その後方側が開口しており、フィルタ枠材１０の突出部１０ｂが後方側から溝部１２に嵌合可能となっている。溝部１２は、それを構成する２本の壁部で突出部１０ｂを挟持できる形状となっており、溝部１２を構成する一方の壁部は、本体１の壁面を兼ねているが、他方の壁は、例えば吸込パネル５から後方に突出する壁部１２ａとなっている。なお、壁部１２ａは、フィルタ押さえに設けられてもよい。
【００４５】
本実施形態の構成において、フィルタ７を本体１内部に装填するときは、まず、本体１前面の吸込パネル５を取り外し、集塵フィルタ７ａを本体１内に収容する。続いて、脱臭フィルタ７ｂと接着されるフィルタ枠材１０の突出部１０ｂが前方を向くように、脱臭フィルタ７ｂを本体１内部に収容する。その後、吸込パネル５を本体１に取り付ける。このとき、フィルタ枠材１０の突出部１０ｂに対して溝部１２が相対的に嵌合し、突出部１０ｂの表面全体が溝部１２の内面と当接する。
【００４６】
このように、突出部１０ｂが溝部１２に嵌合した状態では、突出部１０ｂと溝部１２との間に隙間が形成されることがなく、送風手段８の駆動時に、上記隙間を介して外部空気が本体１内部に流入するということがない。つまり、送風手段８の駆動時に、外部空気が脱臭フィルタ７ｂを通過せずに上記隙間から本体１内部に取り込まれるということがない。したがって、本実施形態の構成によっても、フィルタ枠材１０と本体１とのシール性が確実に向上し、空気清浄機の清浄能力を確実に高めることができる。
【００４７】
特に、本実施形態では、溝部１２が本体１内部のフィルタ収容位置よりも送風手段８とは反対側に形成されているので、フィルタ枠材１０とともに脱臭フィルタ７ｂを本体１内部に収容した後、吸込パネル５を本体１に取り付けたときに、自動的にフィルタ枠材１０の突出部１０ｂを溝部１２に嵌合させることができる。
【００４８】
ところで、本実施形態では、フィルタ枠材１０が脱臭フィルタ７ｂのみを保持する場合について説明したが、フィルタ枠材１０が集塵フィルタ７ａおよび脱臭フィルタ７ｂの両方を保持する構成であってもよい。
【００４９】
図８は、集塵フィルタ７ａおよび脱臭フィルタ７ｂの両方を保持するフィルタ枠材１０の概略の構成を示す斜視図である。なお、同図では、突出部１０ｂ側が脱臭フィルタ７ｂとなっているが、集塵フィルタ７ａおよび脱臭フィルタ７ｂの位置は逆であってもよい。また、図９は、集塵フィルタ７ａおよび脱臭フィルタ７ｂの両方をフィルタ枠材１０で保持した状態で本体１内部に収容した空気清浄機の概略の構成を示す断面図である。
【００５０】
このような構成であっても、フィルタ枠材１０に突出部１０ｂが設けられており、本体１内部に溝部１２が形成されているので、突出部１０ｂが溝部１２に嵌合した状態では、突出部１０ｂの表面全体が溝部１２の内面と当接し、突出部１０ｂと溝部１２との間に隙間が形成されることがない。したがって、フィルタ枠材１０と本体１とのシール性が確実に向上し、空気清浄機の清浄能力を確実に高めることができる。
【００５１】
なお、フィルタ枠材１０がフィルタ７として集塵フィルタ７ａのみを保持し、突出部１０ｂを溝部１２に嵌合させて集塵フィルタ７ａのみを本体１内部に収容するようにしてもよい。この場合でも、フィルタ枠材１０と本体１とのシール性を確実に向上させて、空気清浄機の清浄能力（集塵能力）を確実に高めることができる。
【００５２】
〔実施の形態３〕
本発明のさらに他の実施の形態について、図面に基づいて説明すれば、以下の通りである。なお、実施の形態１または２と同一の構成には同一の部材番号を付記し、その説明を省略する。
【００５３】
図１０は、本実施形態に係る空気清浄機の概略の構成を示す断面図であり、図１１は、本実施形態のフィルタ枠材１０の概略の構成を示す斜視図である。本実施形態の空気清浄機は、実施の形態１および２を組み合わせた構成となっている。
【００５４】
より具体的には、本実施形態では、フィルタ枠材１０は、集塵フィルタ７ａおよび脱臭フィルタ７ｂの両方を保持しており、集塵フィルタ７ａおよび脱臭フィルタ７ｂの互いに対向する面が密着するように、集塵フィルタ７ａおよび脱臭フィルタ７ｂの外周４面のそれぞれと接着剤を介して接着されている。そして、フィルタ枠材１０は、保持するフィルタ７よりもその厚さ方向の両側に突出する突出部１０ａと突出部１０ｂとを有している。フィルタ枠材１０の突出部１０ａは、集塵フィルタ７ａに対して脱臭フィルタ７ｂとは反対側に突出しており、突出部１０ｂは、脱臭フィルタ７ｂに対して集塵フィルタ７ａとは反対側に突出している。
【００５５】
また、本実施形態では、本体１内に、実施の形態１の溝部９と実施の形態２の溝部１２との両方が形成されている。すなわち、本体１内には、本体１内部のフィルタ収容位置よりも風下側（送風手段８側）に設けられる溝部９と、フィルタ収容位置よりも風上側（送風手段８とは反対側）に設けられる溝部１２との両方が形成されている。
【００５６】
本実施形態の構成において、フィルタ７（集塵フィルタ７ａおよび脱臭フィルタ７ｂ）を本体１内部に装填するときは、まず、本体１前面の吸込パネル５を取り外し、フィルタ枠材１０の突出部１０ａを、本体１内部の溝部９に嵌合させてフィルタ７を本体１内部に収容する。このとき、突出部１０ａは、その表面全体が溝部９と当接するようにして溝部９に嵌合する。その後、吸込パネル５を本体１に取り付けると、フィルタ枠材１０の突出部１０ｂに対して溝部１２が相対的に嵌合し、突出部１０ｂの表面全体が溝部１２の内面と当接する。
【００５７】
このように、本実施形態の構成では、フィルタ枠材１０の突出部１０ａがその表面全体を溝部９の内面に当接させながら溝部９に嵌合するとともに、突出部１０ｂがその表面全体を溝部１２の内面に当接させながら嵌合するので、突出部１０ａと溝部９との間に隙間が形成されることがなく、突出部１０ｂと溝部１２との間に隙間が形成されることもない。したがって、送風手段８の駆動時に、上記各隙間を介して外部空気が本体１内部に流入するということがない。
【００５８】
このように、本実施形態の構成によれば、フィルタ７に対して風上側と風下側との両方で、フィルタ枠材１０と本体１とのシール性を確実に向上させることができ、空気清浄機の清浄能力をより一層高めることができる。
【００５９】
なお、本実施形態では、フィルタ枠材１０が集塵フィルタ７ａおよび脱臭フィルタ７ｂの両方を保持する構成としているが、どちらか一方のみを保持する構成としてもよい。
【００６０】
例えば図１２は、集塵フィルタ７ａのみを保持するとともに、集塵フィルタ７ａの厚さ方向に互いに逆方向に突出する突出部１０ａ・１０ｂを有するフィルタ枠材１０の概略の構成を示す斜視図である。また、図１３は、脱臭フィルタ７ｂのみを保持するとともに、脱臭フィルタ７ｂの厚さ方向に互いに逆方向に突出する突出部１０ａ・１０ｂを有するフィルタ枠材１０の概略の構成を示す斜視図である。
【００６１】
このような構成であっても、集塵フィルタ７ａまたは脱臭フィルタ７ｂに対して風上側と風下側との両方で、フィルタ枠材１０と本体１とのシール性を確実に向上させることができるので、空気清浄機の清浄能力（集塵能力または脱臭能力）をより一層高めることができる。
【図面の簡単な説明】
【００６２】
【図１】本発明の実施の一形態に係る空気清浄機の概略の構成を示す断面図である。
【図２】上記空気清浄機に適用されるフィルタ枠材の概略の構成を示す斜視図である。
【図３】上記空気清浄機に適用可能なフィルタ枠材の概略の構成を示す斜視図である。
【図４】上記フィルタ枠材を適用した空気清浄機の概略の構成を示す断面図である。
【図５】上記空気清浄機に適用可能なフィルタ枠の概略の構成を示す斜視図である。
【図６】本発明の他の実施の形態に係る空気清浄機の概略の構成を示す断面図である。
【図７】上記空気清浄機に適用されるフィルタ枠材の概略の構成を示す斜視図である。
【図８】上記空気清浄機に適用可能なフィルタ枠材の概略の構成を示す斜視図である。
【図９】上記フィルタ枠材を適用した空気清浄機の概略の構成を示す断面図である。
【図１０】本発明のさらに他の実施の形態に係る空気清浄機の概略の構成を示す断面図である。
【図１１】上記空気清浄機に適用されるフィルタ枠材の概略の構成を示す斜視図である。
【図１２】上記空気清浄機に適用可能なフィルタ枠材の概略の構成を示す斜視図である。
【図１３】上記空気清浄機に適用可能なフィルタ枠材の概略の構成を示す斜視図である。
【図１４】従来の空気清浄機の主要部の概略の構成を示す断面図である。
【符号の説明】
【００６３】
１    本体
７    フィルタ
７ａ  集塵フィルタ
７ｂ  脱臭フィルタ
８    送風手段
９    溝部
１０    フィルタ枠材（フィルタ保持部材）
１０ａ  突出部
１０ｂ  突出部
１１    フィルタ枠（フィルタ保持部材）
１１ａ  突出部
１２    溝部
【図１】
2006289197.tif 000003
【図２】
2006289197.tif 000004
【図３】
2006289197.tif 000005
【図４】
2006289197.tif 000006
【図５】
2006289197.tif 000007
【図６】
2006289197.tif 000008
【図７】
2006289197.tif 000009
【図８】
2006289197.tif 000010
【図９】
2006289197.tif 000011
【図１０】
2006289197.tif 000012
【図１１】
2006289197.tif 000013
【図１２】
2006289197.tif 000014
【図１３】
2006289197.tif 000015
【図１４】
2006289197.tif 000016